(57)【要約】本発明の留め具は、肩ストラップをカップ付き衣類に取り付けるための留め具であって、肩ストラップを係留するための一対の長孔が、肩ストラップの長手方向に離間して形成された係留部と、当該係留部に連続して形成され、前記カップ付き衣類に係止される係止部と、を備える構成とされている。係留部は、肩ストラップの幅方向に湾曲するように折り曲げられ、当該折り曲げによる凸部が、肩ストラップの長手方向に延在している。
2012098678.tif 000002
【特許請求の範囲】
【請求項１】
肩ストラップをカップ付き衣類に取り付けるための留め具であって、
前記肩ストラップを係留するための一対の長孔が、前記肩ストラップの長手方向に離間して形成された係留部と、
前記係留部に連続して形成され、前記カップ付き衣類に係止される係止部と、を備え、
前記係留部は、前記肩ストラップの幅方向に湾曲するように折り曲げられ、当該折り曲げによる凸部が、前記肩ストラップの長手方向に延在していることを特徴とする留め具。
【請求項２】
前記係止部は、前記カップ付き衣類に対して着脱可能に取り付けられていることを特徴とする請求項１に記載の留め具。
【請求項３】
前記係止部は、前記肩ストラップの幅方向に湾曲するように折り曲げられ、当該折り曲げによる凸部が、前記肩ストラップの長手方向に延在し、
前記係留部の凸部及び係止部の凸部は、同一線上に形成されていることを特徴とする請求項１または２に記載の留め具。
【請求項４】
凸部は、前記肩ストラップの幅方向の中央に形成されていることを特徴とする請求項１から３のいずれか１項に記載の留め具。
【請求項５】
前記係留部の折り曲げ角度は、１０度以上３０度以下であることを特徴とする請求項１から４のいずれか１項に記載の留め具。
【発明の詳細な説明】
【技術分野】
【０００１】
本発明は、肩ストラップをカップ付き衣類に取り付けるための留め具に関する。
【背景技術】
【０００２】
従来、ブラジャー等のカップ付き衣類では、肩ストラップを取り付けるための留め具が採用されている。特許文献１には、外形が三角形を成すストラップ連結具（留め具）が開示されている。この三角形を成すストラップ連結具は、カップ部の上部に取り付けられる第１の辺部と、ストラップに取り付けられる第２の辺部と、これらの第１の辺部と第２の辺部とを結ぶ第３の辺部とを有する構成とされている。これにより、ストラップを着用者の首側に傾斜させることで、ストラップが肩からずれ落ちることを防止させようとしたものである。
【先行技術文献】
【特許文献】
【０００３】
【特許文献１】特許第３２３２０１６号公報
【発明の概要】
【発明が解決しようとする課題】
【０００４】
従来から、カップ付き衣類の着用状態において、肩ストラップが肩からずれ落ちてしまうという問題がある。これは、例えば着用者の歩行等の際に、バストの上下動に伴い、肩ストラップが繰り返し伸縮すると共に、肩ストラップが肩の外側へ徐々に滑ることにより引き起こされていることによる。上記特許文献１に記載の技術では、ストラップ連結具の辺部に巻回されている肩ストラップを安定して保持することができず、連結具内における肩ストラップの移動を規制することができなかった。【０００５】
本発明は、このような課題を解決するために成されたものであり、留め具に係留された肩ストラップ端部の、留め具に対する動きを抑えることで、肩ストラップの肩からのずれ落ちを抑制することが可能な留め具を提供することを目的とする。
【課題を解決するための手段】
【０００６】
本発明による留め具は、肩ストラップをカップ付き衣類に取り付けるための留め具であって、肩ストラップを係留するための一対の長孔が、肩ストラップの長手方向に離間して形成された係留部と、係留部に連続して形成され、カップ付き衣類に係止される係止部と、を備え、係留部は、肩ストラップの幅方向に湾曲するように折り曲げられ、当該折り曲げによる凸部が、肩ストラップの長手方向に延在していることを特徴としている。【０００７】
このような留め具によれば、肩ストラップの長手方向に隣接する一対の長孔に、肩ストラップを挿通することで、肩ストラップを係留することができる。そして、一対の長孔が形成された第１の係留部が、肩ストラップの長手方向と交差する方向である幅方向に湾曲するように折り曲げられ、この曲げによる凸部が、肩ストラップの長手方向に延在する構成であるため、係留部の形状に伴う曲げ形状を、第１の係留部に係留された肩ストラップに、付与することができる。これにより、肩ストラップに、その長手方向に沿った曲げ形状を形成することで、肩ストラップの幅方向の剛性を向上させることができる。その結果、係留部に係留された肩ストラップの幅方向の可動範囲を狭めることができ、肩ストラップ端部を安定して保持することが可能となる。また、係留部を折り曲げるだけで成形可能であるため、簡素な構成で肩ストラップのずれを防止することができる。【０００８】
また、係止部は、カップ付き衣類に対して着脱可能に取り付けられていることが好ましい。【０００９】
また、係止部は、肩ストラップの幅方向に湾曲するように折り曲げられ、当該折り曲げによる凸部が、肩ストラップの長手方向に延在し、係留部の凸部及び係止部の凸部は、同一線上に形成されている構成が好適である。これにより、留め具を折り曲げる際に、係留部及び係止部を同時に折り曲げることが可能であるため、加工工程が容易である。【００１０】
また、凸部は、肩ストラップの幅方向の中央に形成されていることが好適である。これにより、肩ストラップの幅方向の中央に、肩ストラップの長手方向に延在する凸部を形成することができ、肩ストラップの端部を安定的に保持することができる。【００１１】
また、係留部の折り曲げ角度は、１０度以上３０度以下であることが好ましい。係留部の折り曲げ角度は、２０度であることが特に好ましい。このような折り曲げ角度で、係留部が成形されていると、肩ストラップに好適な折り曲げ形状を付与することができる。これにより、肩ストラップによる不快な肌触りを抑えることができる。
【発明の効果】
【００１２】
本発明の留め具によれば、留め具に係留された肩ストラップ端部の、留め具に対する動きを抑えることができ、肩ストラップの肩からのずれ落ちを抑制することができる。
【図面の簡単な説明】
【００１３】
【図１】本発明の実施形態に係る留め具を示す平面図である。
【図２】本発明の実施形態に係る留め具を示す正面図である。
【図３】本発明の実施形態に係る留め具を示す側面図である。
【図４】本発明の実施形態に係るブラジャーを示す正面図である。
【図５】留め具の取り付け状態を示す背面図である。
【図６】本発明の第２実施形態に係る留め具を示す正面図である。
【図７】本発明の第３実施形態に係る留め具を示す正面図である。
【発明を実施するための形態】
【００１４】
以下、添付図面を参照して、本発明の好適な実施形態について詳細に説明する。なお、「上」、「下」等の方向を示す語は、図面に示される状態に基づいており、便宜的なものである。
【００１５】
まず、本発明の第１実施形態に係る留め具１について説明する。この留め具１は、例えば、ブラジャー等のカップ付き衣類に肩ストラップを取り付けるための留め具として用いられるものである。換言すると、本物品は、ブラジャー等のカップ付き女性用衣類に肩ストラップに取り付けるための留め具である。なお、カップ付き衣類としては、ブラジャーの他にブラスリップ、ブラキャミソール、ボディスーツ等のファンデーション衣類の他、水着やレオタード等の種々のカップ付き衣類が挙げられる。
【００１６】
留め具１は、図１に示すように、例えば、厚さ１ｍｍの板状の金属又は樹脂から成り、その外形が略矩形形状を呈している。ここでは、留め具１の外形は、幅１４．０ｍｍ、長さ１２．０ｍｍ、高さ２ｍｍとしている。この留め具１は、その上部に肩ストラップ（肩紐）４０を係留するための係留部２を備えている。
【００１７】
係留部２には、左右方向（長手方向）を長径方向とする一対の長孔３Ａ，３Ｂが形成されている。一対の長孔３Ａ，３Ｂは、上下方向（肩ストラップの長手方向）に離間して、平行に配置されている。この一対の長孔３Ａ，３Ｂに肩ストラップ４０を挿通することで、肩ストラップ４０を係留する。
【００１８】
具体的には、係留部２は、肩ストラップ４０の幅方向Ｘに延在する第１〜第３棒状部材２１〜２３、及び、肩ストラップ４０の長手方向Ｙに延在し棒状部材２１〜２３の端部同士を連結する第１〜第２連結部２４ａ，２４ｂ，２５ａ，２５ｂを備えている。第１〜第３棒状部２１〜２３は、Ｙ方向に所定の間隔で配置されている。第１連結部２４ａは、第１棒状部材２１及び第２棒状部材２２の一方の端部同士を連結し、第１連結部２４ｂは、第１棒状部材２１及び第２棒状部材２２の他方の端部同士を連結している。第２連結部２５ａは、第２棒状部材２２及び第３棒状部材２３の一方の端部同士を連結し、第２連結部２５ｂは、第２棒状部材２２及び第３棒状部材２３の他方の端部同士を連結している。
【００１９】
長孔３Ａは、Ｙ方向に離間する第１，第２棒状部材２１，２２と、Ｘ方向に離間する一対の第１連結部２４ａ，２４ｂとによって囲繞された開口部であり、留め具１の板厚方向Ｚに貫通している。長孔３Ｂは、Ｙ方向に離間する第２，第３棒状部材２２，２３と、Ｘ方向に離間する一対の第２連結部２５ａ，２５ｂとによって囲繞された開口部であり、留め具１の板厚方向Ｚに貫通している。
【００２０】
長孔３Ａ，３Ｂの長径方向に沿った外縁はＸ方向に水平に延びると共に、長孔３Ａ，３Ｂの短径方向に沿った外縁はＹ方向に水平に延びており、四隅は滑らかな曲線のカーブ状を呈している。ここでは、長孔３の長手方向の長さは、１３ｍｍとしている。このような長孔３とすることで、当該長孔３に肩ストラップを好適に係留させる。この係留部２の左右方向の一端２５ａには、カップ付き女性用衣類に係留する係止部４が連結されている。
【００２１】
係止部４は、係留部２の一端２５ａから他端２５ｂに向けて曲がるように延びている。具体的には、係止部４は、係留部２の一端２５ａを基端として、当該一端２５ａから下方に延びると共に、その下端で係留部２の他端２５ｂ側に向かってＸ方向に真っ直ぐ延びている。この係止部４の先端には、係留部２を内側に鉤状に屈曲するようにして係留部２側に突出する突出部５が設けられている。そして、このように、係留部２と係止部４とが連結することにより、係留部２と突出部５との間に隙間が形成されている。
【００２２】
また、本実施形態の留め具１では、係留部２における突出部５に対向する領域に、隙間が広がるように切り欠かれたテーパ部７が設けられている。具体的には、係留部２の下縁において、その中央部から他端２５ｂ側に向かって、上方に傾斜するように切り欠かれたテーパ部７が設けられている。
【００２３】
ここで、本実施形態の留め具１は、図２及び図３に示すように、留め具１の板厚方向に屈曲され、板厚方向の一方側に凸状を呈している。具体的には、係留部２及び係止部４は、幅方向の中央に頂部（凸部）が形成されるように略へ字状に折り曲げられている。そして、頂部は、ストラップ４０の長手方向Ｙに延在するように形成されている。係留部２の頂部と係止部４の頂部とは、Ｙ方向の同一直線上に形成されている。なお、頂部は、幅方向Ｘの中央に形成されていない構成でもよい。また、湾曲による頂部が、Ｙ方向に対して傾斜する直線上に沿って形成されている構成でもよい。
【００２４】
留め具１では、棒状部材２１〜２３の一端側が、他端側に対し傾斜している。そして、一端側の他端側に対する傾斜角θは、１０度以上３０度以下であることが好ましく、２０度であることがより好適である。
【００２５】
この留め具１を用いて肩ストラップ４０をブラジャーに着脱自在に取り付ける場合、まず、係留部２の長孔３Ｂに肩ストラップ４０を背面側から正面側へ挿通し、第２棒状部材２２を跨いで、長孔３Ａに肩ストラップ４０を正面側から背面側へ挿通する。これにより、肩ストラップ４０を係留部２に係留し、留め具１と肩ストラップ４０とを固定する。続いて、ブラジャーに設けられた例えばカップ吊部に、係止部４を挿入する。なお、正面側は、折り曲げによる凸部が形成されている側であり、背面側は、着用者の肌側に対面する側である。
【００２６】
このとき、肩ストラップ４０は、長孔３Ａ，３Ｂを囲繞する周縁部に当接している。また、肩ストラップ４０は、係留部２の折り曲げ形状に対応して折り曲げられ、幅方向の中央部に頂部が形成されている。
【００２７】
一般に、ブラジャーの着用状態において、肩ストラップ４０は、カップ部を引き上げるためにテンションを付与した状態で保持されている。係留部２が、湾曲していると、肩ストラップ４０が係留部２に密着し、係留部２内おける肩ストラップ４０の移動が規制される。
【００２８】
また、係留部２近傍において肩ストラップ４０は湾曲した状態で保持され、この湾曲した部分は変形し難くなる。そのため、肩ストラップ４０の幅方向の移動を抑制し、肩ストラップ４０の肩からのずれ落ちを抑制することができる。
【００２９】
また、留め具１では、幅方向の中央に頂部が形成されているため、係留された肩ストラップ４０のテンションが幅方向の両側に等しく作用することになる。これにより、肩ストラップ４０の幅方向の移動を一層抑制することができる。
【００３０】
また、本実施形態では、第２棒状部材２２に巻かれた肩ストラップ４０が、２枚重なった状態で、第１棒状部材２１により肌側へ押し付けられることになる。これにより、肩ストラップ４０と留め具１との密着性を高めて、肩ストラップ４０を安定して保持することができる。すなわち、肩ストラップ４０の端部（支点）の移動を抑制し、肩ストラップ４０のずれを抑えることができる。
【００３１】
（ブラジャー）
次に、図４を参照しながら、本発明の実施形態に係る留め具を備えたブラジャー（カップ付き衣類）について説明する。図４は、本発明の実施形態に係るブラジャーを示す正面図である。ブラジャー１００は、左右一対のカップ部１１０、土台布１２０、バック布１３０、及び肩ストラップ（肩紐）４０を備える。なお、ブラジャー（カップ部を有する衣類）１００は、左右対称であるため、左右の一方のみによって説明する。
【００３２】
カップ部１１０は、着用者のバストを前面側から覆うものであり、バスト形状に対応させた椀形状となっている。カップ部１１０は、例えば不職布や発砲ポリウレタンといった一定の保形性及び弾力性を有する素材によって形成されている。カップ部１１０の脇から下部にかけて、非伸縮性の土台布１２０が縫着され、カップ部１１０は、土台布１２０によって支持されている。さらに、土台布１２０の脇側には伸縮性のバック布１３０が縫着されている。また、カップ部１１０の脇側上端（領域Ａ）１１０ａには、肩ストラップ４０が着脱可能に取り付けられている。
【００３３】
カップ部１１０の裏側には、カップ部１１０の下辺１１０ｂと土台布１２０との境界、すなわちバージスラインに沿って、厚手の布からなるカップ部下縁テープが縫着されている。このカップ部下縁テープの中には、ワイヤーが装着されている。
【００３４】
バック布１３０は、土台布１２０から連続して形成され、着用者の脇側から背側中央に向かって帯状に形成される。バック布１３０は、例えばパワーネットなどの伸縮性を有する素材によって形成されている。また、バック布１３０の背側の端部にはホック１３１が設けられており、左右のバック部１３０は、このホック３１によって係脱自在に連結される。また、バック布１３０の背側上端（領域Ａ）には、肩ストラップ４０が着脱可能に取り付けられている。
【００３５】
肩ストラップ４０は、カップ部１１０の上部（例えば、頂部）とバック布１３０とに各々接続され、カップ部１１０の上部とバック布１３０の背側とを結ぶように掛け渡されている。また、肩ストラップ４０には、長さ調整具４１が介設されており、着用者の体型に合わせた長さ調整が可能となっている。そして、肩ストラップ４０の両端部には、留め具１が設けられ、この留め具１がカップ部１１０及びバック布１３０に、着脱可能に取り付けられている。なお、留め具１は、ブラジャー本体（カップ付き衣類本体）に対して、取り外しが困難な状態で取り付けられていてもよい。なお、留め具１をカップ付き衣類に取り付ける場合には、肩ストラップ４０の基点となる留め具１の位置ずれが生じないように係止することが好ましい。
【００３６】
図５は、留め具の取り付け状態を示す背面図である。図５は、図４中の領域Ａを背面側（着用者肌側）から拡大して示す図である。カップ部１１０及びバック布１３０には、留め具１を係留するための筒状部１４０は、留め具１の係止部４を挿通させるための空間を形成している。筒状部１４０は、例えばテープ状の布が折り返されて端部同士が縫着されることで形成されている。そして、筒状部１４０は、カップ部１１０及びバック布１３０に縫着されている。なお、図５では、筒状部１４０が取り付けられているカップ部１１０及びバック布１３０の図示が省略されている。なお、留め具１が係留される部位は、筒状部１４０に限定されず、その他の部位でもよく、係止部４が挿通可能な開口部や、係止部４を係止可能な凸部などが形成されていればよい。
【００３７】
（第２実施形態）
図６は、本発明の第２実施形態に係る留め具を示す正面図である。図６に示す第２実施形態の留め具１が、図１に示す第１実施形態の留め具１と違う点は、係止部４、４Ｂの形状が異なる点である。第２実施形態の係止部４Ｂは、リング状を成している。そして、このリング状の係止部４Ｂが、カップ付き衣類に設けられた凸部（フック）などに係止される。なお、リング状の係止部４Ｂに切欠き部などが形成されている形状でもよい。
【００３８】
（第３実施形態）
図７は、本発明の第３実施形態に係る留め具を示す正面図である。図７に示す第３実施形態の留め具１が、図１に示す第１実施形態の留め具１と違う点は、係止部４、４Ｃの形状が異なる点である。第３実施形態の係止部４Ｃは、Ｔ字型を成している。Ｔ字型の係止部４Ｃは、Ｘ軸方向に延在し筒状部１４０に挿通される水平部４ａと、Ｙ軸方向に延在し水平部４ａと係留部２とを連結する垂直部４ｂとを備えている。また、筒状部１４０のＸ軸方向の中央には、切欠き部１４０ａが形成されている。Ｔ字型の係止部４Ｃは、水平部４ａが切欠き部１４０ａから筒状部１４０内へ進入して筒状部１４０に係止されている。なお、係止部４、４Ｂ、４Ｃは、その他の形状でもよい。カップ付き衣類に係止可能な形状を有していればよい。
【００３９】
以上、本発明をその実施の形態に基づき具体的に説明したが、本発明は上記実施形態に限定されるものではない。例えば、係留部２のみを湾曲させる構成でもよい。また、長孔３Ａ，３Ｂを囲繞する棒状部材及び連結部において、切欠き部が形成されていてもよい。また、折り曲げによる凸部は、幅方向Ｘの中央からずれた位置に形成されていてもよい。また、折り曲げによる凸部は、例えば、幅方向Ｘに複数形成されていてもよい。また、折り曲げ角度θは、その他の角度でもよい。留め具１の外形、長孔３Ａ，３Ｂの長径及び短径は、その他の大きさでもよい。
【産業上の利用可能性】
【００４０】
本発明の留め具では、留め具に係留された肩ストラップ端部の、留め具に対する動きを抑えることで、肩ストラップの肩からのずれ落ちを抑制することができる。
【符号の説明】
【００４１】
１…留め具
２…係留部
２１…第１棒状部材、２２…第２棒状部材、２３…第３棒状部材
２４ａ，２４ｂ…第１連結部、２５ａ，２５ｂ…第２連結部
３Ａ，３Ｂ…長孔
４，４Ｂ、４Ｃ…係止部
５…突出部
７…テーパ部
４０…肩ストラップ
１００…ブラジャー（カップ付き衣類）
１１０…カップ部
１２０…土台布
１３０…バック布
１４０…筒状部
【図１】
2012098678.tif 000003
【図２】
2012098678.tif 000004
【図３】
2012098678.tif 000005
【図４】
2012098678.tif 000006
【図５】
2012098678.tif 000007
【図６】
2012098678.tif 000008
【図７】
2012098678.tif 000009
【国際調査報告】
2012098678.tif 000010
2012098678.tif 000011